(57)【特許請求の範囲】
【請求項１】
携帯電話機を使用する際の拡大鏡であって、リムには凸レンズを嵌め、リムから延びる持ち手には軸を介して揺動するレバーを折畳み可能に取付け、レバーを起こした場合に携帯電話機の押しボタンを押圧する先端が凸レンズの焦点付近に位置するようにしたことを特徴とする携帯電話機の拡大鏡。
【請求項２】
携帯電話機を使用する際の拡大鏡であって、凸レンズには持ち手を取着し、該持ち手には軸を介して揺動するレバーを折畳み可能に取付け、レバーを起こした場合に携帯電話機の押しボタンを押圧する先端が凸レンズの焦点付近に位置するようにしたことを特徴とする携帯電話機の拡大鏡。
【請求項３】
上記持ち手に溝を設け、折畳まれたレバーを該溝に収納可能とした請求項１、又は請求項２記載の携帯電話機の拡大鏡。
【請求項４】
上記レバーの先端には押圧部を形成した請求項１、請求項２、又は請求項３記載の携帯電話機の拡大鏡。
【発明の詳細な説明】
【０００１】
【発明の属する技術分野】
本発明は携帯電話機を使用する際に、老眼鏡を掛けることなく押しボタンを正しく押すことが出来る拡大鏡に関するものである。
【０００２】
【従来の技術】
近年、携帯電話機の普及は目覚しくて、ビジネスマンやＯＬは勿論のこと、家庭の主婦や学生であっても所持している場合が多い。ところで、若い人は何ら問題ないが、老眼の人が携帯電話機を使用する際、メガネを掛けなくては表示板の文字が分かり難くて何処からの電話であるか知ることが出来ない。又押しボタンの表面に表示している数字や文字も分かり難くて電話をかけたりメールを送ることが出来ない。
【０００３】
老眼鏡は近くに視線を置く仕事及び作業を行なう場合に必要であって、道を歩いている場合等、遠くに視線を置いている場合には必要としない。しかし、このような時に電話がかかってくることは常であり、又電話をかけることも常である。しかし、この際に一々バックから老眼鏡を取出して掛けることは面倒である。
【０００４】
携帯電話機は持ち運びの利便性を考慮して、最近では非常に小さくてコンパクト化し、それに伴って押しボタンも小さく成っている。老眼鏡を必要とする人にとって小さな押しボタンを指で押すことが容易でなく、特に指の太い人は操作がし難い。
【０００５】
【発明が解決しようとする課題】
このように、老眼鏡を掛けている人にとって携帯電話機の使用は上記のごとき問題がある。本発明が解決しようとする課題はこの問題点であって、電話がかかってきた際に携帯電話機の表示パネルに表示される数字や文字を見ることが出来、又電話をかける際には押しボタンを間違えることなく押すことが出来る携帯電話機の拡大鏡を提供する。
【０００６】
【課題を解決する為の手段】
本発明の携帯電話機の拡大鏡は携帯電話機を使用する際に、老眼鏡を掛けないで使うことが出来るようにした拡大鏡である。該拡大鏡は従来から知られている一種の虫眼鏡であって、その形態は凸レンズを嵌めたリムから持ち手を延ばし、該持ち手を握って携帯電話機の表示板及び押しボタンを見ることが出来るように構成している。ただし、リムを備えないで凸レンズに直接持ち手を取着することも出来る。
【０００７】
しかし、本発明の拡大鏡は従来の虫眼鏡とは違っている。凸レンズを嵌めた虫眼鏡であれば、携帯電話機の表示板の数字や文字及び押しボタンの数字や文字を拡大して大きく見ることは出来るが、数字や文字を拡大しただけでは押しボタンを押すことは出来にくい。すなわち、一方の手で携帯電話機を持ち、他方の手で拡大鏡を握る場合、押しボタンを押すことが出来ない。
【０００８】
そこで、本発明の拡大鏡は持ち手にレバーを備え、該レバーの先はレンズの焦点付近に位置するように取付けられている。すなわち、持ち手から斜めに延びていて、押しボタンをレンズで拡大しながらレバー先端にて押しボタンを押すことが出来るようにしている。又、該レバーは折畳み式と成っていて、倒すことで持ち手に収納することが出来る。以下、本発明に係る実施例を図面に基づいて詳細に説明する。
【０００９】
【実施例】
図１は本発明に係る携帯電話機の拡大鏡であって、該拡大鏡はリム１、持ち手２、凸レンズ３、レバー４から成っている。そして持ち手２の先には穴が設けられ、該穴には紐５が結ばれて携帯電話機のアクセサリーの１つとして取付けられている。
【００１０】
上記凸レンズ３はリム１に嵌り、持ち手２を握って凸レンズ３から携帯電話機の表示板及び押しボタンを拡大して見ることが出来る。そして本発明の拡大鏡は持ち手２にレバー４を備え、該レバー４は同図に示すように持ち手２に沿って形成した溝に嵌って収納されている。図２は持ち手２の溝６からレバー４を出して起こした場合である。レバー４は持ち手２に軸を介して揺動出来るように取付けられているが、起こした場合には図２に示す状態と成って、傾斜して先端が凸レンズ３の焦点付近に位置している。
【００１１】
又レバー４は先端に押圧部７を形成し、携帯電話機の押しボタンが押し易いように成っている。すなわち、幅を大きくし、又押圧部７の押圧面には押しボタンをキズ付けない為にゴム板を貼着することもある。ゴム板を貼着するならば、キズを防止するだけでなく、押しボタンを押圧する際に滑ることはなく、安定した操作が可能となる。
【００１２】
図３は携帯電話機８の押しボタン９を拡大鏡を通して見た場合であり、凸レンズ３を通すことで押しボタン９は大きく見え、勿論、押しボタン表面に表示されている数字や文字、記号も拡大されて見える。前記図２に示すように、レバー４を起こして凸レンズ３を見れば、凸レンズ３の中央にレバー４の先端押圧部７が位置することになり、左手で携帯電話機８を持ち、右手で拡大鏡の持ち手２を握って図３のように凸レンズ３を通して大きく見える押しボタン９，９…を順次押すことが出来る。
【００１３】
レバー４は拡大鏡と一体である為に、凸レンズ３を移動するならばレバー４の先端も動いて、凸レンズ３の中央には常に押圧部７が位置することになる。従って、拡大された押しボタン９，９…を間違えることなく押圧して所定の番号をインプットすることが出来る。勿論、表示板の数字や文字を見る場合にはレバー４は必要とせず、該レバー４は持ち手２の溝６に収納されたままである。そしてレバー４はストレートではなく、湾曲している為に溝６に収納していても一部は該溝６からはみ出し、このはみ出し部分を指で押すことでレバー４を溝６から取出して起こすことが出来る。
【００１４】
ところで、前記図１に示している拡大鏡の形態はあくまでも１具体例に過ぎず、基本的には持ち手で凸レンズ３を支えることが出来ればよい。従って、リム１を用いることなく、持ち手２に凸レンズ３を直接ネジ止めすることも出来る。勿論、レバー４は図１に示しているように、持ち手２に収納され、持ち歩く際にレバー４が邪魔にならないようにしている。
【００１５】
以上述べたように、本発明に係る拡大鏡は凸レンズを持ち手で支持出来るようにし、持ち手にはレバーを収納したものであり、次のような効果を得ることが出来る。
【００１６】
【発明の効果】
本発明の拡大鏡は一種の虫眼鏡であって、凸レンズを通すことで携帯電話機の表示板に表示される番号や文字を拡大して見ることが出来る。又携帯電話機の押しボタンの表面に表示されている数字や文字、又は記号を拡大して見ることが出来、老眼鏡を携帯している人であっても、該老眼鏡を取出して掛けなくても拡大鏡にて用が足りる。すなわち、拡大鏡を携帯電話機のアクセサリーとして取付けておくならば、手軽に使用出来る。
【００１７】
そして、この拡大鏡の持ち手には折畳み式のレバーが取付けられている為に、該レバーを持ち手から出して起こすならば、拡大鏡にて携帯電話機の押しボタンを拡大した状態でレバーにて正しく押すことが出来る。勿論、指が太い人であっても何ら問題はない。
【図面の簡単な説明】
【図１】本発明に係る携帯電話機の拡大鏡。
【図２】拡大鏡の持ち手に収納されているレバーを起こした場合。
【図３】拡大鏡の凸レンズにて携帯電話機の押しボタンを見ながらレバーで押圧する場合。
【符号の説明】
１  リム
２  持ち手
３  凸レンズ
４  レバー
５  紐
６  溝
７  押圧部
８  携帯電話機
９  押しボタン
【図１】
0003735054.tif 000002
【図２】
0003735054.tif 000003
【図３】
0003735054.tif 000004